(57)【要約】      （修正有）【課題】導光板周縁からの出射光量を向上させることにより、優れた光利用効率を期待できる照明装置を提供する。【解決手段】主面部８０と、厚みが縁辺に向かって減少する半放物線状断面の周縁部８１とを有する導光板８に対し、周縁部８１の表面に光反射層９を設ける。周縁部８１の真下にＬＥＤ実装基板６の発光素子６１を配置する。駆動時に周縁部８１を透過した発光素子６１の発光を光反射層９で高反射率にて導光板８側に反射する。【選択図】図５
2014086405.tif 000002
【特許請求の範囲】
【請求項１】
表面に発光素子が実装されてなる実装基板と、前記実装基板上に配置され、前記発光素子の出射光を導光する導光板とを備える照明装置であって、
前記導光板は、前記導光板の前記実装基板と対向する面と反対側の面において、厚みが縁辺に向かって減少する断面形状の周縁部を有し、
前記導光板と前記実装基板とを平面視する際、前記発光素子は前記周縁部と重なる位置に配置されており、
前記周縁部の表面と対向する一部以上の領域に、前記周縁部を透過した前記発光素子の出射光を前記導光板側に反射する光反射部を有する
照明装置。
【請求項２】
前記実装基板と前記導光板とはともに円盤状であり、
前記周縁部は前記導光板の全周にわたり存在し且つ半放物線状の断面形状を有し、
前記発光素子は互いに一定間隔をおいて複数個にわたり前記実装されている
請求項１に記載の照明装置。
【請求項３】
前記光反射部は、前記周縁部の表面に被着された光反射層である
請求項１または２に記載の照明装置。
【請求項４】
前記光反射層はチタニアを含んでなる蒸着膜である
請求項３に記載の照明装置。
【請求項５】
前記光反射層の上方に、前記光反射層を被覆するカバーを有する
請求項３または４に記載の照明装置。
【請求項６】
前記周縁部の表面を被覆するカバーを有し、
前記光反射部は、前記周縁部の表面と対向する前記カバーの表面に配置されている
請求項１または２に記載の照明装置。
【請求項７】
前記光反射部は前記カバーの表面に成膜された光反射膜である
請求項６に記載の照明装置。
【請求項８】
前記光反射膜は白色顔料を含む塗膜である
請求項７に記載の照明装置。
【請求項９】
前記カバーと前記導光板の前記周縁部とは互いに密着し或いは０．５ｍｍ以内の距離で近接している
請求項６〜８のいずれかに記載の照明装置。
【請求項１０】
前記導光板の前記反対の面に積層され且つ前記発光素子の発光を拡散する拡散板を有する
請求項１〜９のいずれかに記載の照明装置。
【請求項１１】
前記導光板と前記実装基板とを平面視する際、
前記発光素子の直上に前記導光板の前記周縁部が位置している
請求項１〜１０のいずれかに記載の照明装置。
【請求項１２】
前記導光板からの出射光を外部取出可能な状態で前記実装基板及び前記導光板を収納する被覆部材と、
台座部と、
前記台座部に立設され且つ前記被覆部材を支持するアーム部とを有する
請求項１〜１１のいずれかに記載する照明装置。
【発明の詳細な説明】
【技術分野】
【０００１】
本発明はＬＥＤを光源とする照明装置に関する。本発明は特に光利用効率を向上させる技術に関する。
【背景技術】
【０００２】
近年、ＬＥＤ素子等の発光素子を照明用光源とするＬＥＤ照明装置が普及している。
図７は、従来のデスクスタンド型のＬＥＤ照明装置１ｘの構成例を示す外観構成図である。ＬＥＤ照明装置１ｘは、台座部２ｘと、台座部２ｘに立設されたアーム部３ｘと、アーム部３ｘの一端に取着された照明部４ｘとを有する。照明部４ｘは、複数の発光素子のＬＥＤ素子を表面に実装してなるＬＥＤ実装基板（不図示）を内蔵する。
【０００３】
また、バックライト装置として、ＬＥＤ実装基板の前面に導光板を配置する構成が知られている。導光板に対する発光素子の配置位置としては複数の位置がある。一例として、ＬＥＤ実装基板上に導光板を配置し、ＬＥＤ素子の出射光を導光板を通じて前方に出射する構成が開発されている（例えば特許文献１〜３を参照）。
【先行技術文献】
【特許文献】
【０００４】
【特許文献１】特開２００４−３１１８０号公報
【特許文献２】特開２００４−３１０６４号公報
【特許文献３】特開２００４−３１９１６４号公報
【発明の概要】
【発明が解決しようとする課題】
【０００５】
ＬＥＤ照明装置では、発光素子の光利用効率の向上が要求されている。しかしながら従来のＬＥＤ照明装置では、光利用効率の面で課題を有している。
例えば上記したように、ＬＥＤ実装基板上に導光板を配置する場合において、導光板の周縁より導光する発光素子の発光の光利用効率が、導光板の他の領域より導光する発光素子の発光の光利用効率に比べて優れない場合がある。
【０００６】
本発明は、導光板周縁から出射される出射光量を向上させることにより、優れた光利用効率を期待できる照明装置を提供することを目的とする。
【課題を解決するための手段】
【０００７】
上記課題を解決するため、本発明の一態様に係る照明装置は、表面に発光素子が実装されてなる実装基板と、前記実装基板上に配置され、前記発光素子の出射光を導光する導光板とを備える照明装置であって、前記導光板は、前記導光板の前記実装基板と対向する面と反対側の面において、厚みが縁辺に向かって減少する断面形状の周縁部を有し、前記導光板と前記実装基板とを平面視する際、前記発光素子は前記周縁部と重なる位置に配置されており、前記周縁部の表面と対向する一部以上の領域に、前記周縁部を透過した前記発光素子の出射光を前記導光板側に反射する光反射部を有する構成とする。
【０００８】
ここで本発明の別の態様では、前記実装基板と前記導光板とはともに円盤状であり、前記周縁部は前記導光板の全周にわたり存在し且つ半放物線状の断面形状を有し、前記発光素子は互いに一定間隔をおいて複数個にわたり前記実装されている構成とすることもできる。
また本発明の別の態様として、前記光反射部は、前記周縁部の表面に被着された光反射層とすることもできる。
【０００９】
また本発明の別の態様として、前記光反射層はチタニアを含んでなる蒸着膜とすることもできる。
また本発明の別の態様として、前記光反射層の上方に、前記光反射層を被覆するカバーを有する構成とすることもできる。
また本発明の別の態様として、前記周縁部の表面を被覆するカバーを有し、前記光反射部は、前記周縁部の表面と対向する前記カバーの表面に配置されている構成とすることもできる。
【００１０】
また本発明の別の態様として、前記光反射部は前記カバーの表面に成膜された光反射膜とすることもできる。
また本発明の別の態様として、前記光反射膜は白色顔料を含む塗膜とすることもできる。
また本発明の別の態様として、前記カバーと前記導光板の前記周縁部とは互いに密着し或いは０．５ｍｍ以内の距離で近接している構成とすることもできる。
【００１１】
また本発明の別の態様として、前記導光板の前記反対の面に積層され且つ前記発光素子の発光を拡散する拡散板を有する構成とすることもできる。
また本発明の別の態様として、前記導光板と前記実装基板とを平面視する際、
前記発光素子の直上に前記導光板の前記周縁部が位置している構成とすることもできる。
【００１２】
また本発明の別の態様として、前記導光板からの出射光を外部取出可能な状態で前記実装基板及び前記導光板を収納する被覆部材と、台座部と、前記台座部に立設され且つ前記被覆部材を支持するアーム部とを有する構成とすることもできる。
【発明の効果】
【００１３】
上記構成を有する本発明の一態様に係る照明装置では、厚みが縁辺に向けて減少する断面形状の周縁部を持つ導光板を用いる。この周縁部の表面と対向する少なくとも一部の領域に、光反射部を有する。照明装置の駆動時には、周縁部を透過した発光素子の発光を、光反射部により導光板側に高効率で反射させる。これにより、周縁部に入射される発光素子の発光を導光板を通じて外部に出射し、照明光に寄与させることができる。従って導光板周縁からの出射光量を向上させ、優れた光利用効率を期待できる照明装置を提供することが可能である。
【図面の簡単な説明】
【００１４】
【図１】実施の形態１に係るＬＥＤ照明装置１の外観構成図である。
【図２】照明部４の内部構成を示す展開図である。
【図３】照明ユニット４５の内部構成を示す展開図である。
【図４】照明部４の内部構成を示す断面図（図１のＡ−Ａ矢視断面図）である。
【図５】周縁部８１周辺の拡大断面図である。
【図６】実施の形態２に係るＬＥＤ照明装置の照明部における導光板８Ａの周縁部８１周辺の拡大断面図である。
【図７】従来のＬＥＤ照明装置１ｘの外観構成図である。
【発明を実施するための形態】
【００１５】
以下、本発明の各実施の形態について説明する。
＜実施の形態１＞
実施の形態１のＬＥＤ照明装置１（以下、「装置１」と称する。）について、図１〜図５を用いて説明する。図１は装置１の外観構成図である。図２は照明部４の展開図である。図３は照明ユニット４５の内部構成を示す展開図である。図４は照明部４の内部構成を示す断面図（図１のＡ−Ａ矢視断面図）である。図５は照明部４の導光板周縁部８１の周辺の拡大断面図である。
【００１６】
図１に示すように、装置１は、台座部２と、アーム部３と、照明部４とを有する。
次に装置１の各構成要素を説明する。
［台座部２］
台座部２は装置１を机上等に安定して載置する手段として用いられる。台座部２は、ここでは円環状の外観形状として構成している。台座部２の外装は樹脂の射出成型品で構成される。台座部２の内部には装置１を載置した際の安定性を確保するため、必要十分量の錘が内蔵されている。
［アーム部３］
アーム部３は、照明部４の被覆部材（第１被覆部材４０及び第２被覆部材４１）を支持する手段として用いられる（図１、図２）。また、照明部４の位置を調節する手段としても用いられる。アーム部３は台座部２に立設されている。アーム部３は、台座部２側から第１アーム部材３ａと、第２アーム部材３ｂとを備える。またアーム部３は、連結部３ｄ、３ｅ、３ｆを備える。アーム部３は台座部２の外装は台座部２と同様に樹脂の射出成型品で構成される。
【００１７】
第１アーム部材３ａは、下方の一端側に設けられた連結部３ｄで軸支された状態で台座部２に連結される。また、第１アーム部材３ａは他端に設けられた連結部３ｅで軸支された状態で第２アーム部材３ｂと連結される。各連結部３ｄ、３ｅはいずれも一定のトルクで開閉するヒンジ構造を有する。従って、例えばユーザが第２アーム部材３ｂを手元に引き寄せると、これに応じて第１アーム部材３ａ及び第２アーム部材３ｂの間の角度が開く。さらに、台座部２及び第１アーム部材３ａの間の角度が開く。これによりアーム部３がユーザ側に伸長する。
【００１８】
第１アーム部材３ａの正面側には操作部３ｃが配される。操作部３ｃは例えば静電容量方式で作動する。ユーザが操作部３ｃに触れる度に、照明部４のオン／オフ操作が行える。また、ユーザが操作部３ｃ上に指をスライドさせることで、照明部４の調光を行うことができる。
尚、図示しないが、操作部３ｃには外部より不図示のケーブルが接続される。このケーブルを介し、操作部３ｃと照明部４とに商用電源からの電力供給がなされる。
【００１９】
連結部３ｆは第２アーム部材３ｂの下面側に設けられる（図４）。連結部３ｆはボールジョイント構造を有する。連結部３ｆは第２アーム部材３ｂから照明部４を垂下する手段として用いられる（図４）。ボールジョイント（球継手）構造を有する連結部３ｆの採用により、ユーザが照明部４を操作すると、水平（ＸＹ平面）方向と交差する全方向に照明部４の角度調節を行うことができる。
［照明部４］
照明部４は装置１における発光部として機能する。照明部４は、全体的な内部構造としては図２に示すように、一対の被覆部材（第１被覆部材４０及び第２被覆部材４１）と、その間に配された照明ユニット４５とを有する。装置１では、照明部４は一例として円盤状に構成している。
【００２０】
第１被覆部材４０及び第２被覆部材４１は、それぞれＡＢＳ（アクリルニトリルブタジエンスチレン共重合体）樹脂等の樹脂材料を用いた射出成型品として構成される。
第１被覆部材４０の内面には、連結部３ｆを所定の回転トルクで保持するための固定板４３と、照明ユニット４５を位置合わせするための複数のリブ４４が設けられる。
第２被覆部材４１は、全体的に傘状に形成される。第２被覆部材４１の中央に、照明ユニット４５の拡散板１０の径に合わせた開口４２が設けられる。
【００２１】
照明ユニット４５は、外観的には互いに積層された放熱板５と、円環状の前面カバー１１とを有する。前面カバー１１の開口１１２からは拡散板１０が外部露出される。拡散板１０は、第２被覆部材４１の開口４２を通して外部露出される。
照明ユニット４５は、内部構成としては図３に示すように、放熱板５と、ＬＥＤ実装基板６と、拡散反射シート７と、導光板８と、光反射層９と、拡散板１０と、前面カバー１１とを有する。照明ユニット４５は、これらの構成要素を同順に重ね、前面カバー１１の上から複数の雄ネジＢ１〜Ｂ８を放熱板５の雌ネジ５２Ａ〜５２Ｈのそれぞれに螺合して構成される。
（ｉ）放熱板５
放熱板５は、発光素子６１の駆動熱を放熱する手段として配される。放熱板５は鉄やアルミニウム等の熱容量に優れる金属材料を用いて構成される。放熱板５の外観構成としては、一方の面の中央に配された凸部５１と、凸部５１の周囲に配された平坦部５０とを有する。凸部５１は、ＬＥＤ実装基板６を挿通し且つ拡散反射シート７を載置するために用いられる。平坦部５０は、ＬＥＤ実装基板６を載置するために用いられる。尚、平坦部５０の周囲には雌ネジ５２Ａ〜５２Ｈが形成されている（図３）。
（ｉｉ）ＬＥＤ実装基板６
ＬＥＤ実装基板６は、円環状の基板本体６０と、発光素子６１と、配線６３と、各発光素子６１と配線６３とを電気接続するためのコネクタ６２とを有する（図３）。
【００２２】
基板本体６０は、一例として主にガラスコンポジット材料を用いて構成される。基板本体６０は、少なくとも上面に発光素子６１を電気接続するための配線パターンを有する。基板本体６０の下面は放熱板５の平坦部５０の表面と熱結合するように配される（図３、図４）。
尚、基板本体６０は公知のフレキシブル基板を用いて構成することもできる。
【００２３】
発光素子６１は装置１における照明用光源である。発光素子６１は、具体的にはＬＥＤ素子（ＬＥＤパッケージ）である。すなわち、発光素子６１としてのＬＥＤ素子は、例えば基板上に実装されたＬＥＤチップが封止樹脂で被覆されてなる。発光素子６１は、基板本体６０の上面において一定間隔毎に複数個（ここでは１８個）にわたり実装される。ＬＥＤ実装基板６をＺ方向に沿って平面視する際、発光素子６１の各実装位置は、導光板８の周縁部８１と重なる位置に調整されている（図４）。尚、図３には図示しないが、基板本体６０の表面には抵抗素子等、その他の電気素子も併せて実装される。
【００２４】
コネクタ６２はＰＰ（ポリプロピレン）やＰＥ（ポリエチレン）等の樹脂材料を用いた射出成形品で構成される。コネクタ６２は内部に不図示の導電部材を内蔵する。コネクタ６２は導電部材において、配線６３と基板本体６０の配線パターンとを電気接続するために用いられる。
配線６３は、軸芯のリード線を絶縁部材で被覆して構成される。配線６３は基板本体６０の配線パターンと電気接続される。さらに配線６３は、連結部３ｆと、第１アーム部材３ａの各内部に挿通された状態で、操作部３ｃに電気接続されている。
【００２５】
尚、コネクタ６２は必須ではない。配線６３を配線パターンに直接電気接続することもできる。
（ｉｉｉ）拡散反射シート７
拡散反射シート７は、導光板８の裏面で乱反射された発光素子６１の発光を、前面カバー１１の開口１１２を通して外部に反射させる手段として用いられる。拡散反射シート７は、例えばＰＥＴ（ポリエチレンテレフタレート）等の樹脂材料に白色顔料を混合し、シート状に形成して構成される。外観構成としては、平板状の本体部７０と、発光素子６１の位置に合わせて形成された孔７１と、コネクタ６２の位置に合わせて形成された切欠部７２とを有する（図３）。拡散反射シート７の孔７１には発光素子６１が挿通される。
【００２６】
尚、発光素子６１の光利用効率の低下を防ぐため、拡散反射シート７の厚みは基板本体６０上における発光素子６１の高さ（Ｚ方向高さ）より高くならないように留意する。
また拡散反射シート７には、ＬＥＤ実装基板６に実装された発光素子６１以外の電気素子を挿通させるため、孔７１とは別の孔を設けることもできる。
（ｉｖ）導光板８
導光板８は、駆動時の発光素子６１の発光を拡散させ、且つ、効率よく外部に出射させる手段として用いられる。導光板８は、一定の屈折率を有する樹脂材料、例えばＰＣ（ポリカーボネート）やＰＭＭＡ（ポリメタクリル酸メチル）樹脂等のアクリル樹脂に拡散材を分散させて構成される。外観構成としては、平坦な主面部８０と、主面部８０を取り囲む周縁部８１と、周縁部８１の表面に設けられた光反射層９とを有する（図３、図４）。導光板８は、拡散反射シート７を介し、ＬＥＤ実装基板６の表面に沿って配置される。
【００２７】
主面部８０の下面（拡散反射シート７との対向面）は巨視的に見ると、一様に平坦に形成されている。一方、主面部８０の下面を微視的に見ると、例えば印刷法等に基づき、微細な凹凸処理がなされている。これにより主面部８０の下面には凹凸表面が形成される。主面部８０の凹凸表面は発光素子６１からの発光を広く乱反射して拡散させる。そして、この乱反射された拡散光を拡散反射シート７側に反射させる手段として用いられる。
【００２８】
周縁部８１は、導光板８の全周にわたって存在する。導光板８の上面側において、周縁部８１は、厚みが縁辺に向かって減少する放物線状断面の形状を有する（図３、図４）。これにより周縁部８１はレンズ構造を有する。導光板８を平面視する際、発光素子６１は周縁部８１と重なる位置に配置される。発光素子６１の上方に周縁部８１を配置することで、導光板８を平面視する際に周縁部８１が有するレンズ効果により、発光素子６１の実装位置が視認しにくくなる。これにより装置１の駆動時において、発光素子６１の実装位置で高輝度の発光が生じる輝度ムラを抑えることができる。
【００２９】
尚、ここで言う「半放物線状」とは数学的に厳密な形状のみを指さない。ここで言う「半放物線状」とは、少なくとも厚みが縁辺に向かって減少する曲面形状を含むものとする。
尚、導光板８の厚みを増加させると、周縁部８１の曲率を小さくすることができる。しかしながら、樹脂材料を用いて射出成形により導光板８を構成する場合、ヒケが発生しうる点に留意する。
（ｖ）光反射層９
光反射層９は装置１の特徴部分の一つである。光反射層９は、周縁部８１の表面上に設けられている。光反射層９は、具体的には周縁部８１の表面上に被着された、チタニア（ＴｉＯ2）を含む蒸着膜である。光反射層９は、外観的には白色層である。光反射層９は、周縁部８１を透過した発光素子６１の入射光を主面部８０側に効率よく反射して外部への出射光に利用するための光反射部として用いられる。
（ｖｉ）拡散板１０
拡散板１０は、導光板８側より入射される発光素子６１の発光をさらに均一に拡散させて面発光とするために配される。拡散板１０は、例えばＰＣ等の樹脂材料で構成される。拡散板１０は発光素子６１の発光色を調節する目的で、例えば青色に着色される。これにより発光素子６１の発光成分より黄色成分が除去される。
（ｖｉｉ）前面カバー１１
前面カバー１１は、放熱板５との間で、ＬＥＤ実装基板６、拡散反射シート７、導光板８、拡散板１０を同順に積層した状態で保持する手段として用いられる。また前面カバー１１は、導光板８の周縁部８１を被覆する。これにより周縁部８１直下の発光素子６１が外部より視認されないように調整される（図４）。前面カバー１１は、外観構成としては円環状の平板部１１０と、その内側に存在する開口１１２とを有する。平板部１１０の表面には、雄ネジＢ１〜Ｂ８を挿通させるネジ孔１１１Ａ〜１１１Ｈが設けられている（図３）。
（装置１の効果について）
以上の構成を有する装置１は、導光板８の周縁部８１の表面との対向位置に、光反射部として光反射層９を有する。これにより図５に示すように、装置１の駆動時には、発光素子６１からいずれかの入射角で周縁部８１に入射した入射光を、光反射層９において導光板８側に高効率で反射することができる。
【００３０】
具体的に周縁部８１に入射される発光素子６１の入射光は、導光板８より外部に出射されて出射光Ｌ1〜Ｌ3となる。これらの出射光Ｌ1〜Ｌ3は、光反射層９において高効率で反射された出射光に由来する。従って出射光Ｌ1〜Ｌ3は十分な光量を有している。よって出射光Ｌ1〜Ｌ3は、発光素子６１のその他の出射光Ｌ4、Ｌ5とともに照明光に良好に寄与させることができる。結果として、装置１では、優れた光利用効率の発揮を期待できる。
【００３１】
以下、本発明の別の実施の形態について、実施の形態１との差異を中心に述べる。
＜実施の形態２＞
図６は実施の形態２に係るＬＥＤ照明装置の照明部における導光板周縁部周辺の拡大断面図である。実施の形態１と異なる点として、導光板８Ａの周縁部８１の表面と対向する位置に光反射層９を有さない。一方、周縁部８１と対向する位置の前面カバー１１Ａの内表面１１３に光反射膜１１４を有する。光反射膜１１４は、一例として白色顔料と樹脂バインダとを含んでなる白色塗膜である。
【００３２】
実施の形態２では、光反射膜１１４が発光素子６１の発光に対する光反射部として機能する。
以上の構成を有する実施の形態２においても、実施の形態１と同様の効果を期待できる。すなわち図６に示すように、周縁部８１を透過した発光素子６１からの発光は、光反射膜１１４において高効率で反射されて導光板８Ａの主面部８０側に入射される。入射された光は導光板８Ａより外部に出射されて出射光Ｌ1〜Ｌ3となる。出射光Ｌ1〜Ｌ3はその他の出射光Ｌ4、Ｌ5とともに良好に照明光として寄与することができる。
【００３３】
尚、実施の形態２では塗装法を用いて光反射膜１１４を配設できる。従って、光反射膜１１４を設けるための製造工程が容易であり、高い実現性を期待することができる。
＜その他の事項＞
上記各実施の形態では、円盤状の照明部４を示したが、照明部４は円盤状に限定されず、例えば矩形状（長方形等）や多角形状、長楕円状であってもよい。この場合、導光板８の形状も円盤状に限定されず、照明部４の形状に合わせて矩形状や多角形状としてもよい。また、ベース部２の形状も限定されず、例えば円筒形状、多角筒形状、円柱状、多角柱状、円錐状、多角錐状、ドーム状やハート側等の不定型状のいずれかであってもよい。
【００３４】
導光板８の周縁部８１上に光反射層９を配設する場合、光反射層９は蒸着膜に限定されない。その他、白色顔料を含む塗膜として配設することもできる。
また、本発明のＬＥＤ照射装置では、光反射層９と光反射膜１１４とを同時に配設することもできる。
光反射層９を蒸着膜として構成する場合、反射材としてはチタニア以外の材料を用いてもよい。例えば二酸化ケイ素、酸化ジルコニウム、フッ化マグネシウム、酸化マグネシウム等の金属化合物、またはニッケル、クロム、アルミニウム等の金属材料を用いることもできる。
【００３５】
光反射層９は、蒸着膜として構成する場合に限定されない。光反射層９は、例えばスパッタリング膜、メッキ膜、塗膜のいずれかで構成してもよい。塗膜の場合、チタニア粒子、二酸化ケイ素、酸化ジルコニウム、フッ化マグネシウム、セラミック、アルミニウム等の微粒子を含む構成とすることができる。
光反射膜１１４は白色顔料を含む構成に限定されない。例えば高光反射性の金属粒子を含む構成としてもよい。また、高光反射性の金属メッキ膜で構成してもよい。或いは光反射膜１１４を硬質の金属部材等の光反射部材で構成してもよい。
【００３６】
光反射膜１１４は、前面カバー１１Ａの裏面の全体にわたり形成することもできる。
光反射層９または光反射膜１１４は、導光板８、８Ａの縁辺を取り囲む周縁部８１の全領域にわたって設ける構成に限定されない。例えば、各発光素子６１の実装位置の直上に位置する周縁部８１の表面と対向する少なくとも一部領域に設けることもできる。
アーム部３は図１に示した連結部３ｄ、３ｅ、３ｆを用いる構成に限定されない。例えばアーム部３は図７のアーム部３Ｘのように柱状または軸状の１部材からなる構成とすることもできる。
【００３７】
実施の形態２において、周縁部８１と光反射膜１１４とは互いに密着していることが最も望ましい。実際の製造工程では、光反射層９と前面カバー１１の間に公差の間隙が生じる場合がありうる。公差の間隙が相当に大きいと、周縁部８１を透過した光が減衰或いは散乱して損失しうる。これにより周縁部８１への入射光を照明光に有効利用することが難しくなる。従って本発明の照明装置では、導光板８の周縁部８１と前面カバー１１とは互いに０．５ｍｍ以内（特に０．３ｍｍ以内）の距離で近接していることが望ましい。
【００３８】
尚、導光板８が周縁部８１において前面カバー１１（１１Ａ）と密着していれば、光反射層や光反射膜１１４を用いなくても発光素子６１の発光を効率よく導光することができる。この場合、照明装置では、周縁部８１の表面と前面カバー１１の裏面（１１３）とが光反射部として機能する。
上記各実施の形態では、デスクスタンド型のＬＥＤ照明装置を示した。しかしながら、本発明の各態様のＬＥＤ照明装置はデスクスタンド型に限定されない。例えばシーリング型やダウンライト型等のＬＥＤ照明装置とすることもできる。
【００３９】
本発明で用いる発光素子はＬＥＤ素子に限定されない。本発明の発光素子としては、その他の発光素子を用いることも可能である。例えば、蛍光灯、白熱電球、有機ＥＬ（Electro―Luminescence）素子、ＬＤ（レーザダイオード；Laser Diode）等を単独、或いは複数組み合わせて用いてもよい。
【符号の説明】
【００４０】
Ｌ1〜Ｌ5    出射光
１、１ｘ    ＬＥＤ照明装置
２、２ｘ    台座部
３、３ｘ    アーム部
４、４ｘ    照明部
５    放熱板
６    ＬＥＤ実装基板
７    拡散反射シート
８、８Ａ    導光板
９    光反射層
１０    拡散板
１１、１１Ａ    前面カバー
４０    第１被覆部材
４１    第２被覆部材
４２    開口
４５    照明ユニット
５０    平坦部
５１    凸部
６０    基板本体
６１    発光素子（ＬＥＤ素子）
６２    コネクタ
７１    孔
８０    主面部
８１    周縁部
１１３    内表面
１１４    光反射膜
【図１】
2014086405.tif 000003
【図２】
2014086405.tif 000004
【図３】
2014086405.tif 000005
【図４】
2014086405.tif 000006
【図５】
2014086405.tif 000007
【図６】
2014086405.tif 000008
【図７】
2014086405.tif 000009